(57)【要約】【課題】テンキー式の入力釦を備えた呼び登録装置において、行先階を入力する際の操作性を向上させ、更に、入力釦の押し間違いを大幅に低減させることができるようにする。【解決手段】エレベーターのかご又は乗場に設けられたエレベーターの呼び登録装置において、テンキー式の入力釦３、各入力釦３に対応して設けられた釦灯９、エレベーターの管理階情報を記録する管理階情報記録手段１０、管理階情報記録手段１０の管理階情報を登録可能階情報に変換する登録可能階変換手段１１、入力釦３に対する操作情報を上記管理階情報に変換する釦操作情報変換手段１２を備える。そして、登録可能階変換手段１１によって変換された登録可能階情報に基づき、入力釦３毎の有効及び無効と各釦灯９の点灯及び消灯との各処理を制御する。【選択図】図１
2010247908.tif 000002
【特許請求の範囲】
【請求項１】
エレベーターのかご又は乗場に設けられた、テンキー式の入力釦を有するエレベーターの呼び登録装置であって、
前記各入力釦に対応して設けられた釦灯と、
エレベーターの制御装置が階床管理を行うための管理階情報を記録する管理階情報記録手段と、
前記管理階情報記録手段に記録されている管理階情報を、実際の建物において利用者が行先階として登録可能な階床の情報である登録可能階情報に変換する登録可能階変換手段と、
前記入力釦に対する操作情報を、前記管理階情報記録手段の記録内容に合わせて管理階情報に変換する釦操作情報変換手段と、
前記登録可能階変換手段によって変換された登録可能階情報に基づいて、前記入力釦毎の有効及び無効と前記各釦灯の点灯及び消灯との各処理を制御する制御手段と、
を備えたことを特徴とするエレベーターの呼び登録装置。
【請求項２】
前記制御手段は、前記登録可能階変換手段によって変換された登録可能階情報に基づいて、利用者が行先階入力を行うために操作可能な前記入力釦のみを有効とし、有効な前記入力釦の前記釦灯のみを点灯させることを特徴とする請求項１に記載のエレベーターの呼び登録装置。
【請求項３】
前記入力釦は、０乃至９の各数字を入力するための数字釦を備え、
前記制御手段は、有効な前記数字釦の何れかが操作されると、操作された前記数字釦の数字を一つ上の位の数字として、利用者がその数字に続けて入力することができる数字の前記数字釦を有効にし、利用者がその数字に続けて入力することができない数字の前記数字釦を無効にする
ことを特徴とする請求項２に記載のエレベーターの呼び登録装置。
【請求項４】
前記入力釦は、地下階を入力するための地下階釦を備え、
前記制御手段は、前記地下階釦が有効な時に操作されると、利用者が前記地下階釦に続けて入力することができる数字の前記数字釦を有効にし、利用者が前記地下階釦に続けて入力することができない数字の前記数字釦を無効にする
ことを特徴とする請求項３に記載のエレベーターの呼び登録装置。
【請求項５】
前記管理階情報記録手段は、所定の条件下、前記制御装置から管理階情報を取得して、記録している管理階情報の更新を行い、
前記登録可能階変換手段と前記釦操作情報変換手段とは、前記管理階情報記録手段に記録されている最新の管理階情報に基づき各制御を行う
ことを特徴とする請求項１から請求項４の何れかに記載のエレベーターの呼び登録装置。
【発明の詳細な説明】
【技術分野】
【０００１】
この発明は、エレベーターのかごや乗場に設けられた呼び登録装置に関するものである。
【背景技術】
【０００２】
エレベーターのかごや乗場には、利用者が行先階を入力して呼び（行先呼び）を登録するための呼び登録装置が設置されている。この呼び登録装置は、一般に、エレベーターの停止階毎に行先釦を備えたものが良く知られている。かかる構成の呼び登録装置がエレベーターに備えられている場合、利用者は、自分の希望する階床名が表示された行先釦を押すことにより、行先階の入力を行う。
【０００３】
一方、高層ビルに据え付けられたエレベーターや停止階が多いエレベーターには、テンキー式の入力釦を備えた呼び登録装置がかごや乗場に設置されている場合がある。
このような呼び登録装置の従来技術として、例えば、操作者（エレベーター利用者）がどの入力釦を押したのかをその操作時に確認することができるように、入力釦が押される度に、対応する行先呼び登録灯を点滅させるものが提案されている（特許文献１参照）。
【先行技術文献】
【特許文献】
【０００４】
【特許文献１】特開２００６−１８２４８９号公報
【発明の概要】
【発明が解決しようとする課題】
【０００５】
テンキー式の入力釦を備えた呼び登録装置は、利用者が行先階を入力するための入力釦として、例えば、０乃至９の各数字釦と地下階を示す地下階釦とが備えられている。そして、このような呼び登録装置では、各数字釦と地下階釦との組み合わせによって表現できる全ての階床を入力することができてしまうため、不慣れな利用者にとっては操作性が悪いという問題があった。
【０００６】
また、テンキー式の入力釦を備えた呼び登録装置では、利用者が、自分の行先階を入力するために複数の入力釦を押さなければならない場合がある。また、かかる呼び登録装置からは、そのエレベーターが停止しない階床も行先階として入力することができてしまう。このため、利用者による押し間違いが発生し易く、利用者に再入力の手間を取らせたり、過剰な行先呼びが発生してエレベーターの運行効率が低下したりする恐れがあった。
【０００７】
なお、特許文献１に記載のものは、どの入力釦が押されたのかを報知する機能を単に備えたものであり、上述のような問題を解決できるものではない。
【０００８】
この発明は、上述のような課題を解決するためになされたもので、その目的は、テンキー式の入力釦を備えた呼び登録装置において、行先階を入力する際の操作性に優れ、入力釦の押し間違いを大幅に低減させることができるエレベーターの呼び登録装置を提供することである。
【課題を解決するための手段】
【０００９】
この発明に係るエレベーターの呼び登録装置は、エレベーターのかご又は乗場に設けられた、テンキー式の入力釦を有するエレベーターの呼び登録装置であって、各入力釦に対応して設けられた釦灯と、エレベーターの制御装置が階床管理を行うための管理階情報を記録する管理階情報記録手段と、管理階情報記録手段に記録されている管理階情報を、実際の建物において利用者が行先階として登録可能な階床の情報である登録可能階情報に変換する登録可能階変換手段と、入力釦に対する操作情報を、管理階情報記録手段の記録内容に合わせて管理階情報に変換する釦操作情報変換手段と、登録可能階変換手段によって変換された登録可能階情報に基づいて、入力釦毎の有効及び無効と各釦灯の点灯及び消灯との各処理を制御する制御手段と、を備えたものである。
【発明の効果】
【００１０】
この発明によれば、テンキー式の入力釦を備えた呼び登録装置において、行先階を入力する際の操作性を向上させ、更に、入力釦の押し間違いを大幅に低減させることができるようになる。
【図面の簡単な説明】
【００１１】
【図１】この発明の実施の形態１におけるエレベーターの呼び登録装置を示す構成図である。
【図２】図１に示す操作機器を備えた操作盤の正面図である。
【図３】図１に示す入力釦の正面図である。
【図４】この発明の実施の形態１におけるエレベーターの呼び登録装置の動作を説明するための図である。
【図５】この発明の実施の形態１におけるエレベーターの呼び登録装置の動作を説明するための図である。
【図６】この発明の実施の形態１におけるエレベーターの呼び登録装置の動作を説明するための図である。
【図７】この発明の実施の形態１におけるエレベーターの呼び登録装置の動作を説明するための図である。
【図８】この発明の実施の形態１におけるエレベーターの呼び登録装置の動作を説明するための図である。
【図９】この発明の実施の形態１におけるエレベーターの呼び登録装置の動作を説明するための図である。
【発明を実施するための形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１におけるエレベーターの呼び登録装置を示す構成図である。図１において、１はエレベーターの運行全体を制御する制御装置である。制御装置１では、所定の管理階情報を用いて、エレベーターの運行制御を行っている。なお、管理階情報とは、建物の階床管理をエレベーター側で行うための情報であり、エレベーターの運行制御を行い易いように設定されたものである。
下記表１に、管理階情報の一例を示す。
【００１４】
【表１】
2010247908.tif 000003
【００１５】
このように、管理階情報は、例えば、実際の建物の階床と、エレベーターの運行制御を行うために制御装置１で認識している管理階と、各階床が登録可であるか不可であるかとを相互に関連付けた情報で構成される。即ち、エレベーターの利用者が認識する階床（実際の建物の階床）と、制御装置１が制御に利用する階床（管理階）とは、必ずしも一致する訳ではない。
【００１６】
また、エレベーターのかごや各乗場には、エレベーターの利用者が行先階を入力して呼び（行先呼び）を登録するための呼び登録装置が設置されている。この呼び登録装置には、各種制御機能を司る操作機器２と、テンキー式の入力釦３とが備えられている。なお、図２は図１に示す操作機器を備えた操作盤の正面図、図３は図１に示す入力釦の正面図である。図２及び図３に示すように、操作機器２及び入力釦３は、例えば、かごや乗場に設けられた操作盤４に、かご位置表示装置５等と共に装備される。
【００１７】
また、入力釦３は、例えば、０乃至９の各数字を入力するための１０個の数字釦６（「０」釦〜「９」釦）と、所定のＭ釦７（「Ｍ」釦）と、地下階を入力するための地下階釦８（「−」釦）とから構成される。そして、入力釦３には、それぞれに対応して釦灯９が内蔵されており、釦灯９が点灯することによって、対応の入力釦３（「０」釦〜「９」釦、「Ｍ」釦、「−」釦）が光るように構成されている。
【００１８】
一方、操作機器２は、エレベーターの実際の運行に合わせて入力釦３及び釦灯９を制御する機能と、利用者が入力釦３を操作した内容を制御装置１に対して送信する機能とを備えている。そして、上記機能を実現するため、操作機器２には、例えば、管理階情報記録手段１０、登録可能階変換手段１１、釦操作情報変換手段１２、制御手段１３が備えられている。
【００１９】
管理階情報記録手段１０は、エレベーターの制御装置１から管理階情報を取得し、操作機器２内にその管理階情報を記録する機能を有している。この管理階情報記録手段１０は、例えば、不揮発性メモリ等から構成される。このため、管理階情報記録手段１０に一旦管理階情報が記録されると、操作機器２の電源が落ちてもその記録内容は保持される。また、制御装置１では、常に同じ管理階情報が用いられる訳ではなく、建物の仕様変更や時間帯等によってその内容が変更される場合がある。例えば、それまで登録不可であった階床が登録できるようになった場合は、その時点から古い管理階情報は使用されなくなる。また、所定の時間帯（例えば、昼休み時間）以外は登録することができない階床が存在する場合は、その時間帯と他の時間帯とにおいて異なる管理階情報が使用される。このため、管理階情報記録手段１０は、所定の条件下、その時点における管理階情報を制御装置１から取得して、記録されている管理階情報を最新のものに更新する。
【００２０】
登録可能階変換手段１１は、管理階情報記録手段１０に記録されている管理階情報を、登録可能階情報に変換する機能を有している。ここで、登録可能階とは、エレベーターが据え付けられている実際の建物において、利用者が行先階として登録できる階床のことを意味する。
【００２１】
また、釦操作情報変換手段１２は、利用者が行った入力釦３に対する操作情報を、制御装置１が使用する管理階情報に変換して、制御装置１に送信する機能を有している。具体的に、釦操作情報変換手段１２は、管理階情報記録手段１０の記録内容に合わせて、上記操作情報を最新の管理階情報に変換する。例えば、登録可能階変換手段１１が管理階情報記録手段１０から表１に示す内容の管理階情報を受信した場合、釦操作情報変換手段１２では、下記表２に示すような対応表に基づき、入力された操作情報を管理階情報に変換する。
【００２２】
【表２】
2010247908.tif 000004
【００２３】
一方、制御手段１３は、各入力釦３（「０」釦〜「９」釦、「Ｍ」釦、「−」釦）の有効及び無効の処理と、各釦灯９の点灯及び消灯の処理とを制御する機能を有している。具体的に、制御手段１３は、登録可能階変換手段１１によって変換された登録可能階情報と利用者が行った入力釦３に対する操作情報とに基づく制御を行い、例えば、利用者が行先階入力を行うために操作可能な入力釦３のみを有効とし、その有効とした入力釦３に対応する釦灯９のみを点灯させるための処理を行う。
【００２４】
以下に、図４乃至図９も参照して、制御手段１３の機能について具体的に説明する。なお、図４乃至図９は、この発明の実施の形態１におけるエレベーターの呼び登録装置の動作を説明するための図である。また、以下においては、地下５階から５０階までの階床を有する建物において、エレベーターが「地下５階（−５階）〜地下２階（−２階）」、「１階〜５階」、「２３階〜３２階」、「５０階」の各階床に停止することができる場合（即ち、上記各階床が登録可能階である場合）について説明する。
【００２５】
図４は、エレベーター利用者による操作が行われていない時の各入力釦３の状態を示している。なお、図４乃至図９においては、操作面に数字や記号が見えている入力釦３は、制御手段１３の機能によって有効とされ、且つ対応の釦灯９が点灯されているものを表し、操作面に数字や記号が見えていない入力釦３は、制御手段１３の機能によって無効とされ、且つ対応の釦灯９が消灯されているものを表している。また、入力釦３が「有効」とは、その入力釦３を押すと押下情報が操作機器２に検出（認識）されることを、入力釦３が「無効」とは、その入力釦３を押しても押下情報が操作機器２に検出（認識）されないことを意味する。
【００２６】
図４に示す初回入力時、制御手段１３は、入力釦３のうち、１乃至５の各数字釦６と地下階釦８とを有効として、その有効な入力釦３に内蔵された各釦灯９を点灯させる。一方、制御手段１３は、利用者が行先階として入力できない入力釦３（６乃至９、０の各数字釦６とＭ釦７）については無効として、無効な入力釦３に内蔵された各釦灯９を消灯させる。即ち、初回入力時に利用者が行先階入力を行うために操作可能な入力釦３（制御手段１３によって有効とされる入力釦３）は、−５階乃至−２階を入力するための「−」釦と、１階を入力するための「１」釦と、２階及び、２３階乃至２９階を入力するための「２」釦と、３階及び、３０階乃至３２階を入力するための「３」釦と、４階を入力するための「４」釦と、５階及び５０階を入力するための「５」釦である。
【００２７】
そして、利用者が初回入力において「−」釦を押すと、その押下情報が入力された制御手段１３では、図４に示す状態から「１」釦と「−」釦とを無効にして、対応の各釦灯９を消灯させる（図５参照）。即ち、制御手段１３は、利用者が「−」釦に続けて入力することができる数字（２、３、４、５）の数字釦６を有効にし、「−」釦に続けて入力することができない数字の数字釦６については無効とする。そして、上記有効及び無効の処理に合わせて、各釦灯９の点灯及び消灯を制御する。
【００２８】
なお、図６は、利用者が「−」釦に続けて「４」釦を押した時の状態を示したものである。かかる場合、「４」に続けて操作できる入力釦３は存在しないため、制御手段１３は、全ての入力釦３を無効にして、各釦灯９を消灯させる。
【００２９】
一方、利用者が初回入力において「２」釦を押すと、制御手段１３は、図４に示す状態から「１」釦、「２」釦、「−」釦を無効にするとともに、「６」釦、「７」釦、「８」釦、「９」釦を有効にする（図７参照）。また、上記有効及び無効の処理に合わせて、各釦灯９の点灯及び消灯を制御する。即ち、制御手段１３は、操作された数字釦６の数字（この場合は、数字の２）を一つ上の位の数字として、利用者がその数字（２）に続けて入力することができる数字の数字釦６を有効にする。また、制御手段１３は、利用者がその数字（２）に続けて入力することができない数字の数字釦６を無効にする。
【００３０】
同様に、図８は初回入力において利用者が「３」釦を押した時の入力釦３の状態を、図９は初回入力において利用者が「５」釦を押した時の入力釦３の状態を示したものである。
【００３１】
この発明の実施の形態１によれば、テンキー式の入力釦３を備えた呼び登録装置において、利用者が行先階入力を行うために操作可能な入力釦３のみを有効とし、その有効な入力釦３に対応する釦灯９のみを点灯させているため、行先階を入力する際の操作性を向上させ、更に、入力釦３の押し間違いを大幅に低減させることができるようになる。
【００３２】
即ち、利用者は、行先階の入力時に、操作可能な入力釦３を視覚的に認識することができる。このため、テンキー式の入力釦３の操作が不慣れな利用者であっても、希望の行先階を容易に入力することができるようになる。また、行先階を入力するために必要としない入力釦３は、利用者の操作毎に随時無効とされる。このため、エレベーターが停止しない階床を利用者が行先階として入力してしまうようなことはなく、利用者に再入力の手間を取らせたり、過剰な行先呼びが発生してエレベーターの運行効率を低下させたりする恐れもない。
【００３３】
また、管理階情報記録手段１０に記録されている管理階情報を随時更新することにより、操作機器２内のハードウェアやソフトウェアの変更を伴うことなく登録可能階の変更を実施することができ、種々の環境への対応が可能となる。
【符号の説明】
【００３４】
１  制御装置
２  操作機器
３  入力釦
４  操作盤
５  かご位置表示装置
６  数字釦
７  Ｍ釦
８  地下階釦
９  釦灯
１０  管理階情報記録手段
１１  登録可能階変換手段
１２  釦操作情報変換手段
１３  制御手段
【図１】
2010247908.tif 000005
【図２】
2010247908.tif 000006
【図３】
2010247908.tif 000007
【図４】
2010247908.tif 000008
【図５】
2010247908.tif 000009
【図６】
2010247908.tif 000010
【図７】
2010247908.tif 000011
【図８】
2010247908.tif 000012
【図９】
2010247908.tif 000013